(57)【要約】【課題】高いノイズ防止効果を実現しつつマイクの集音面に対して省スペースに収めることができ、加えて組み立て及び分解作業を容易に行うことができるマイク取付構造を提供する。【解決手段】振動吸収体２２が、マイク３１を内部空間に保持すると共に、外部から伝達される振動を吸収する。マイクキャップ２１が、マイク３１の前面及び側面を覆うように配され、且つマイクキャップ２１の一対の脱落防止用爪部２１ａ，２１ｂが振動吸収体２２に挿通される。また、一対の脱落防止用爪部２１ａ，２１ｂが金属板２４と係合し、該金属板２４に当接して設けられた導電性部材が金属板２４とデジタルスチルカメラ本体とを導通する。【選択図】図３
2008278029.tif 000002
【特許請求の範囲】
【請求項１】
マイクと、
前記マイクを内部空間に保持すると共に、外部から伝達される振動を吸収する振動吸収体と、
底面部及び外周部を有するコップ形状であって、前記マイクの前面及び側面を覆うように配され且つ前記外周部の一部が前記振動吸収体に挿通される金属筐体と、
前記振動吸収体に関して前記底面部の反対側に配され、前記外周部の一部の端部と係合する金属板と、
前記金属板に当接して設けられ、前記金属板と装置本体とを導通する導電性部材と、
を備えることを特徴とするマイク取付構造。
【請求項２】
前記振動吸収体の外周部近傍に貫通孔が形成され、前記外周部の一部が前記貫通孔に挿通されることを特徴とする請求項１記載のマイク取付構造。
【請求項３】
前記金属筐体の前記底面部に集音用の孔が設けられると共に、前記外周部の一部の端部に前記金属板を係止する爪部が設けられることを特徴とする請求項１又は２記載のマイク取付構造。
【請求項４】
前記爪部は、前記金属板が前記金属筐体に対して回動されることにより前記金属板を係止することを特徴とする請求項３記載のマイク取付構造。
【請求項５】
前記金属筐体は、前記金属板に電気的に接触していることを特徴とする請求項１乃至４のいずれか１項に記載のマイク取付構造。
【請求項６】
前記振動吸収体と前記金属板との間に介装されるスペーサを更に備えることを特徴とする請求項１乃至５のいずれか１項に記載のマイク取付構造。
【請求項７】
前記スペーサは、略円盤形状を有すると共に、その外周縁部において半径方向に突出する突起部を有し、
前記突起部は、前記振動吸収体の外周縁部から突出するように配置されることを特徴とする請求項６記載のマイク取付構造。
【発明の詳細な説明】
【技術分野】
【０００１】
本発明は、デジタルカメラ等の録音機能を有する電子機器におけるマイクの取付構造に関する。
【背景技術】
【０００２】
従来、デジタルカメラ等の録音機能を有する電子機器において、電子機器内部で発生する音や該電子機器筐体を介して伝達される振動ノイズを抑制するためのマイクの取付け構造が知られている。例えば、マイクと、マイクを取付けるための筐体に設けられた凹部と、凹部に取付けられたマイクを保護するマイクカバーと、マイク、筐体、およびマイクカバーが互いに直接接触しないように保持しながら、マイクおよびマイクカバーを凹部に弾性体を介して取付ける弾性手段とを備えるマイク取付構造が提案されている（例えば、特許文献１参照）。
【特許文献１】特開２００５−３５４５８１号公報
【発明の開示】
【発明が解決しようとする課題】
【０００３】
しかしながら、上述のようなマイク取付構造では、マイクカバーが金属製である場合、該マイクカバーが帯電するとマイクにノイズが入り、マイクに対して静電破壊対策を講じることができない。
【０００４】
本発明の目的は、高いノイズ防止効果を実現しつつマイクの集音面に対して省スペースに収めることができ、加えて組み立て及び分解作業を容易に行うことができるマイク取付構造を提供することにある。
【課題を解決するための手段】
【０００５】
上記目的を達成するために、本発明は、マイクと、前記マイクを内部空間に保持すると共に、外部から伝達される振動を吸収する振動吸収体と、底面部及び外周部を有するコップ形状であって、前記マイクの前面及び側面を覆うように配され且つ前記外周部の一部が前記振動吸収体に挿通される金属筐体と、前記振動吸収体に関して前記底面部の反対側に配され、前記外周部の一部の端部と係合する金属板と、前記金属板に当接して設けられ、前記金属板と装置本体とを導通する導電性部材とを備えることを特徴とする。
【発明の効果】
【０００６】
本発明によれば、振動吸収体が、マイクを内部空間に保持すると共に、外部から伝達される振動を吸収し、金属筐体が、マイクの前面及び側面を覆うように配され、且つ金属筐体の外周部の一部が振動吸収体に挿通される。さらに、金属筐体の外周部の一部の端部が金属板と係合し、該金属板に当接して設けられた導電性部材が金属板と装置本体とを導通する。これにより、マイクに伝達される振動が吸収されると共に金属筐体が帯電することがなく、高いノイズ防止効果を実現することができる。また、振動吸収体の内部空間にマイクが保持されると共に、金属筐体の外周部の一部が振動吸収体に挿通され、振動吸収体に関して底面部の反対側に金属板が配されるので、マイクの集音面に対して省スペースに収めることができる。さらに、金属板は、金属筐体の外周部の一部の端部と係合しているのみなので、組み立て及び分解作業を容易に行うことができる。したがって、高いノイズ防止効果を実現しつつマイクの集音面に対して省スペースに収めることができ、加えて組み立て及び分解作業を容易に行うことができる。
【発明を実施するための最良の形態】
【０００７】
以下、本発明の実施の形態を図面を参照しながら詳細に説明する。
【０００８】
図１は、本発明の実施の形態に係るマイク取付構造を備えるデジタルスチルカメラの構成を概略的に示す斜視図である。
【０００９】
図１において、１１はデジタルスチルカメラの前カバー、１２は後カバー、１３はレンズ鏡筒、１４はレンズ鏡筒１３のズーム操作を行うズームレバー、１５はレリーズボタン、１６ａ，１６ｂは内蔵マイクユニットである。内蔵マイクユニット１６ａ，１６ｂは夫々前カバー１１の上部且つレンズ鏡筒１３の上方に設けられる。
【００１０】
内蔵マイクユニット１６ａは、撮影者に対して左側の音を録音するように配置され、内蔵マイクユニット１６ｂは、撮影者に対して右側の音を録音するように配置される。
【００１１】
図２は、図１における内蔵マイクユニット１６ａの構成を概略的に示す分解斜視図であり、（ａ）〜（ｅ）は、夫々内蔵マイクユニット１６ａの組立時における各工程を示す図である。尚、内蔵マイクユニット１６ｂは、その構成が内蔵マイクユニット１６ａと基本的に同じであるため、その説明を省略する。
【００１２】
図２（ａ）において、２１はマイクキャップ（金属筐体）、２２は振動吸収体、２３はスペーサ、２４は金属板である。
【００１３】
マイクキャップ２１は、底面部及び外周部を有するコップ形状であって、後述するマイク３１の前面及び側面を覆うように配される金属筐体である。マイクキャップ２１の底面部はマイク３１の集音面に対向して配され、該底面部には集音用の孔が複数個設けられる。マイクキャップ２１の外周部の一部には、金属板２４を係止する一対の脱落防止用爪部２１ａ，２１ｂが設けられる。一対の脱落防止用爪部２１ａ，２１ｂは、マイクキャップ２１の軸方向に延出しており、振動吸収体２２に挿通される。
【００１４】
振動吸収体２２は、マイクキャップ２１の外径よりも大きい外形を有する略矩形の部材であり、内部空間にマイク３１を保持すると共に前カバー１１（外部）から伝達される振動を吸収する。また、振動吸収体２２の外周部近傍には一対の貫通孔２２ａ，２２ｂが形成されており、一対の脱落防止用爪部２１ａ，２１ｂが一対の貫通孔２２ａ，２２ｂに挿通される。振動吸収体２２は、外部からの振動を吸収する振動吸収材料から成り、例えばゴム材料から成る。振動吸収体２２の内部空間には、後述するマイク３１が圧入されている。図２（ｂ）に示すように、貫通孔２２ａには、マイクキャップ２１の脱落防止用爪部２１ａが挿通され、貫通孔２２ｂには、マイクキャップ２１の脱落防止用爪部２１ｂが挿通される。
【００１５】
また、振動吸収体２２は、マイク３１の集音面に対向して配される面に設けられた開口部と、マイク３１が圧入される内部空間と外部とを連通する孔２２ｄとを有する。マイク３１に電気的に接続された電気リード線３１ｃが孔２２ｄを通って振動吸収体２２の外部に引き出される（図３（ｃ）参照）。
【００１６】
スペーサ２３は、マイクキャップ２１の外径よりも大きい外径を有する略円盤形状の部材であり、マイクキャップ２１と同心に配設され且つマイクキャップ２１と金属板２４との間に介装される。スペーサ２３の外周部近傍には一対の貫通孔２３ａ，２３ｂが形成されており、一対の脱落防止用爪部２１ａ，２１ｂが一対の貫通孔２３ａ，２３ｂに挿通される。スペーサ２３は、摺動性のよい薄肉シート材であり、例えば厚さが０．２ｍｍのＰＥＴシートである。図２（ｃ）に示すように、貫通孔２３ａには、マイクキャップ２１の脱落防止用爪部２１ａが挿通され、貫通孔２３ｂには、マイクキャップ２１の脱落防止用爪部２１ｂが挿通される。
【００１７】
金属板２４は、マイクキャップ２１の外径よりも大きい外径を有する略円盤形状の部材である。金属板２４は、マイクキャップ２１と同心に配設され且つ振動吸収体２２に関して底面部の反対側に配され、一対の脱落防止用爪部２１ａ，２１ｂと係合する。金属板２４の外周部近傍には一対の貫通孔２４ａ，２４ｂが形成されており、一対の脱落防止用爪部２１ａ，２１ｂが一対の貫通孔２４ａ，２４ｂに挿通される。図２（ｄ）に示すように、貫通孔２４ａには、マイクキャップ２１の脱落防止用爪部２１ａが挿通され、貫通孔２４ｂには、マイクキャップ２１の脱落防止用爪部２１ｂが挿通される。
【００１８】
すなわち、マイクキャップ２１の脱落防止用爪部２１ａは、振動吸収体２２の貫通孔２２ａ、スペーサ２３の貫通孔２３ａ及び金属板２４の貫通孔２４ａを貫通し、マイクキャップ２１の脱落防止用爪部２１ｂは、振動吸収体２２の貫通孔２２ｂ、スペーサ２３の貫通孔２３ｂ及び金属板２４の貫通孔２４ｂを貫通する。
【００１９】
また、金属板２４は、マイクキャップ２１が振動吸収体２２から脱落するのを防止する脱落防止手段として機能する。具体的には、一対の脱落防止用爪部２１ａ，２１ｂは、金属板２４がマイクキャップ２１に対して矢印Ａ方向に回動されることにより金属板２４を係止する。金属板２４は、図２（ｅ）の状態でマイクキャップ２１に係止され、マイクキャップ２１の一対の脱落防止用爪部２１ａ，２１ｂにより振動吸収体２２に向かう方向に付勢される。
【００２０】
また、振動吸収体２２には、金属板２４に向かう方向に突出する回転防止リブ２２ｃが設けられ、金属板２４の外周部には一対の切り欠き部２４ｃ′，２４ｃ″が設けられている。図２（ｅ）に示すように、切り欠き部２４ｃ″内に振動吸収体２２の回転防止リブ２２ｃが入り込むことにより、振動吸収体２２に対する金属板２４の回転が抑制される。
【００２１】
また、スペーサ２３は、その外周縁部において半径方向に突出する突起部２３ｃを有し、突起部２３ｃは、振動吸収体２２の外周縁部から突出するように配置される。これにより、後述する電気リード線３１ｃを振動吸収体２２に対して浮き上がりを抑制しながら配線することができる。
【００２２】
図２（ａ）〜（ｅ）において、マイクキャップ２１が金属製であり且つマイクキャップ２１の表面が加飾処理により電気導電不可である場合、例えば、マイクキャップ２１がアルミニウム製であり且つマイクキャップ２１の表面がアルマイト処理されている場合を考える。この場合は、マイクキャップ２１と金属板２４とを電気導電させるために、マイクキャップ２１の脱落防止用爪部２１ａ，２１ｂの金属板２４と接触する面に対して二次加工、例えば切削加工を施すことにより、脱落防止用爪部２１ａ，２１ｂの加飾部を除去して金属部を露出させる。これにより、マイクキャップ２１は金属板２４に電気的に接触した状態となる。
【００２３】
図３は、図２のマイクユニット１６ａの構成を示す図であり、（ａ）は平面図であり、（ｂ）は、（ａ）の線分Ａ−Ａに沿う構成を示す断面図であり、（ｃ）は、（ａ）の線分Ｂ−Ｂに沿う構成を示す断面図である。
【００２４】
図３（ａ）及び図３（ｂ）において、マイクユニット１６ａは、マイクキャップ２１内部に配置され、マイクキャップ２１と同心に配されたマイク３１を有する。該マイクキャップ２１の外径は、マイク３１の外径と振動吸収体２２の肉厚とに基づいて定められる。
【００２５】
振動吸収体２２は、前カバー１１の内側面に設けられたガイドリブ１１ａによって付勢され、前カバー１１に位置決めされる。振動吸収体２２が前カバー１１に位置決めされることにより、マイクキャップ２１が前カバー１１と接触しない状態となり、前カバー１１に伝達された振動は、マイクキャップ２１へ直接的に伝達されず、振動吸収体２２を介してマイクキャップ２１へ伝達される。前カバー１１からマイクキャップ２１に伝達される振動が振動吸収体２２によって吸収されることにより、マイクキャップ２１及びマイク３１への振動の伝達が抑制される。
【００２６】
また、図３（ｃ）に示すように、マイク３１に電気的に接続された電気リード線３１ｃは、孔２２ｄを通って振動吸収体２２の外部に引き出される。
【００２７】
図４は、図１におけるマイクユニット１６ａ，１６ｂをカメラ本体へ取り付ける取付機構を説明する分解斜視図であり、図５は、図１におけるマイクユニット１６ａ，１６ｂをカメラ本体へ取り付けた状態を示す斜視図である。
【００２８】
図４及び図５において、４１はマイクユニット１６ａ，１６ｂと後述する押さえ板金４２との間に介装される導電性弾性体、４２はマイクユニット１６ａ，１６ｂ及び導電性弾性体４１を前カバー１１に固定する押さえ板金、４３は押さえ板金４２を付勢する板バネである。また、４４は板バネ４３を押さえ板金４２に螺合するビス、４５は押さえ板金４２を前カバー１１に螺合するビスである。
【００２９】
マイクユニット１６ａ，１６ｂは、前カバー１１のガイドリブ１１ａ，１１ｂによりそれぞれ位置決めされ、導電性弾性体４１及び押さえ板金４２を介して、ビス４５により前カバー１１に締結される。また、板バネ４３は、ビス４４により押さえ板金４２に締結される。
【００３０】
導電性弾性体４１は、金属板２４に当接して設けられ、押さえ板金４２及び板バネ４３を介して金属板２４とデジタルスチルカメラ本体とを導通する。すなわち、マイクユニット１６ａ，１６ｂから板バネ４３までは、導電性弾性体４１及び押さえ板金を通じて導通しており、板バネ４３とデジタルスチルカメラ本体の不図示のシャーシとを導通することにより、マイクキャップ２１の電気的なグラウンドを取る。これにより、マイク３１に対して静電破壊対策を講じることが可能になる。
【００３１】
本実施の形態によれば、振動吸収体２２が、マイク３１を内部空間に保持すると共に、外部から伝達される振動を吸収し、マイクキャップ２１が、マイク３１の前面及び側面を覆うように配され、且つマイクキャップ２１の一対の脱落防止用爪部２１ａ，２１ｂが振動吸収体２２に挿通される。さらに、一対の脱落防止用爪部２１ａ，２１ｂが金属板２４と係合し、該金属板２４に当接して設けられた導電性部材が金属板２４とデジタルスチルカメラ本体とを導通する。これにより、マイク３１に伝達される振動が吸収されると共にマイクキャップ２１が帯電することがなく、高いノイズ防止効果を実現することができる。また、振動吸収体２２の内部空間にマイク３１が保持されると共に、マイクキャップ２１の一対の脱落防止用爪部２１ａ，２１ｂが振動吸収体２２に挿通され、振動吸収体２２に関して底面部の反対側に金属板２４が配されるので、マイク３１の集音面に対して省スペースに収めることができる。さらに、金属板２４は、マイクキャップ２１の脱落防止用爪部２１ａ，２１ｂと係合しているのみなので、組み立て及び分解作業を容易に行うことができる。したがって、高いノイズ防止効果を実現しつつマイク３１の集音面に対して省スペースに収めることができ、加えて組み立て及び分解作業を容易に行うことができる。
【００３２】
本実施の形態では、一対の脱落防止用爪部２１ａ，２１ｂが一対の貫通孔２２ａ，２２ｂに挿通されるが、これに限るものではなく、マイクキャップ２１の外周部の一部が振動吸収体２２の一対の貫通孔２２ａ，２２ｂに挿通されてもよい。この場合、マイクキャップ２１の外周部の一部の端部に一対の脱落防止用爪部２１ａ，２１ｂが設けられる。
【００３３】
また、本実施の形態では、マイク取付構造はデジタルスチルカメラに適用されるが、これに限るものではなく、デジタルビデオカメラに適用されてもよい。また、マイクを用いて録音する録音機能を有する他の電子機器にも適用することが可能である。
【図面の簡単な説明】
【００３４】
【図１】本発明の実施の形態に係るマイク取付構造を備えるデジタルスチルカメラの構成を概略的に示す斜視図である。
【図２】図１における内蔵マイクユニットの構成を概略的に示す分解斜視図であり、（ａ）〜（ｅ）は、夫々内蔵マイクユニットの組立時における各工程を示す図である。
【図３】図２のマイクユニットの構成を示す図であり、（ａ）は平面図であり、（ｂ）は、（ａ）の線分Ａ−Ａに沿う構成を示す断面図であり、（ｃ）は、（ａ）の線分Ｂ−Ｂに沿う構成を示す断面図である。
【図４】図１におけるマイクユニットをカメラ本体へ取り付ける取付機構を説明する分解斜視図である。
【図５】図１におけるマイクユニットをカメラ本体へ取り付けた状態を示す斜視図である。
【符号の説明】
【００３５】
１１  前カバー
１６ａ，１６ｂ  内蔵マイクユニット
２２  振動吸収体
２２ａ，２２ｂ  一対の孔
３１  マイク
２１  マイクキャップ
２１ａ，２１ｂ  一対の脱落防止用爪部
２３  スペーサ
２４  金属板
【図１】
2008278029.tif 000003
【図２】
2008278029.tif 000004
【図３】
2008278029.tif 000005
【図４】
2008278029.tif 000006
【図５】
2008278029.tif 000007